(57)【要約】  本発明は、パーマロッドに関し、管状のロッド胴体部を有するパーマロッドにおいて、前記ロッド胴体部は、全ての長さの区間に亘って帯状の挿入開口が形成されるように一対の切り取り面が形成されており、外表面には全ての長さの区間に亘って凹状の溝底面を有する圧搾溝が複数個形成されており、前記溝底面に対応する圧搾面を有するように形成された圧搾部材胴体部を有し、前記圧搾面が前記溝底面に接触するように、前記ロッド胴体部に着脱自在に結合される圧搾部材を含むことを特徴とする。これによって、多様なウェーブの形成が可能になる。
2015503434.tif 000002
【特許請求の範囲】
【請求項１】
管状のロッド胴体部を有するパーマロッドにおいて、
前記ロッド胴体部には、全ての長さの区間に亘って帯状の挿入開口が形成されるように一対の切り取り面が形成されており、外表面には全ての長さの区間に亘って凹状の溝底面を有する圧搾溝が複数個形成されており、
前記溝底面に対応する圧搾面を有するように形成された圧搾部材胴体部を有し、前記圧搾面が前記溝底面に接触するように、前記ロッド胴体部に着脱自在に結合される圧搾部材を含むことを特徴とするパーマロッド。
【請求項２】
前記一対の切り取り面は、互いに近付く際に噛み合うように、凹凸状に形成されていることを特徴とする、請求項１に記載のパーマロッド。
【請求項３】
前記圧搾溝は、Ｖ字の断面の溝底面を有するように形成されることを特徴とする、請求項１または２に記載のパーマロッド。
【請求項４】
前記ロッド胴体部は、外表面に長さ方向に沿って凹状のリング安着溝が形成されていることを特徴とする、請求項１または２に記載のパーマロッド。
【請求項５】
前記圧搾部材は、管状に形成され、前記溝底面に接触する領域には投入孔が形成されていることを特徴とする、請求項１または２に記載のパーマロッド。
【発明の詳細な説明】
【技術分野】
【０００１】
本発明は、パーマロッドに関し、より詳細には、髪の毛にパーマ（Ｐｅｒｍａｎｅｎｔ  Ｗａｖｅ）を形成する際に使うパーマロッドに関する。
【背景技術】
【０００２】
一般的に、ヘアスタイルは女性の美容において重要な部分を占めるものであって、衣服及び時と場所に応じて異なる演出を行う。
【０００３】
ヘアスタイルを演出する方法の一つとして、パーマ（ｐｅｒｍａｎｅｎｔ  ｗａｖｅ）をかけることで髪の毛にウェーブをかける方法が広く利用されており、このためにパーマロッドが案出されて使用されている。
【０００４】
図９は、従来のパーマロッドの分解斜視図である。
【０００５】
従来のパーマロッドは、図９に示すように、円形の断面の管状のロッド胴体部１１１と、ロッド胴体部１１１に結合される補助ロッド部材１２０と、を有している。
【０００６】
ロッド胴体部１１１には、全ての長さの区間に亘って１８０度より大きい円弧断面状の部材挿入溝１１１ｂが形成されている。
【０００７】
補助ロッド部材１２０は、中空の円筒状に形成されている。
【０００８】
ロッド胴体部１１１と補助ロッド部材１２０には、投入孔１１１ａ、１２０ａがそれぞれ形成されている。
【０００９】
このような構成を有する従来のパーマロッドを用いて、髪の毛にウェーブをかける方法を、図１０を参照しながら説明すると次のようである。
【００１０】
先ず、補助ロッド部材１２０に髪の毛の末端部分を巻き込む。
【００１１】
次に、髪の毛が巻かれた状態で、補助ロッド部材１２０を部材挿入溝１１１ｂに押し挟む。
【００１２】
次に、髪の毛の残余部分の中、ウェーブをかけようとする部分だけロッド胴体部１１１に巻き込む。
【００１３】
次に、ロッド胴体部１１１に髪の毛を巻き込んだ後、３０〜４０分程度経過した頃、投入孔１１１ａ、１２０ａを通じて中和剤を注入する。
【００１４】
次に、中和剤を注入した後、１０〜２０分程度経過した頃、ロッド胴体部１１１と補助ロッド部材１２０から髪の毛を解く。
【００１５】
最後に、ロッド胴体部１１１と補助ロッド部材１２０から解いた髪の毛を洗い出す。
【００１６】
前述の構成を有する従来のパーマロッドは、１９９３年の大韓民国実用新案登録出願第１１０４号（考案の名称：ストレートパーマ用ロール）に開示されている。
【００１７】
ところで、従来のパーマロッドによると、ロッド胴体部１１１には、それ自体に巻き込ませる方法以外に、他のウェーブをかけることができる構造がないため、多様なウェーブを形成することができないという問題があった。
【発明の概要】
【発明が解決しようとする課題】
【００１８】
よって、本発明の目的は、多様なウェーブの形成を可能にしたパーマロッドを提供することである。
【課題を解決するための手段】
【００１９】
上記の目的は、本発明によって、管状のロッド胴体部を有するパーマロッドにおいて、前記ロッド胴体部には、全ての長さの区間に亘って帯状の挿入開口が形成されるようにした一対の切り取り面が形成されており、外表面には、全ての長さの区間に亘って凹状の溝底面を有する圧搾溝が複数個形成されており、前記溝底面に対応する圧搾面を有するように形成された圧搾部材胴体部を有し、前記圧搾面が前記溝底面に接触するように、前記ロッド胴体部に着脱自在に結合される圧搾部材を含むことを特徴とするパーマロッドによって達成される。
【００２０】
ここで、髪の毛をロッド胴体部に巻き込む場合、ロッド胴体部が捻られないように、前記一対の切り取り面は互いに近付く際に噛み合うように、凹凸状に形成されていることが望ましい。
【００２１】
さらに、圧搾部材によって圧搾溝に密着された髪の毛の流動を減らすように、前記圧搾溝は、Ｖ字の断面の溝底面を有するように形成されることが望ましい。
【００２２】
また、補助ロッドをロッド胴体部に挿入する段階を省略し、本発明のパーマロッドの使用ができるように、前記ロッド胴体部は、外表面に長さ方向に沿って凹状のリング安着溝が形成されていることが望ましい。
【００２３】
尚、圧搾部材によって形成されるウェーブを安定的に維持できるように、前記圧搾部材は管状に形成され、前記溝底面に接触する領域には、投入孔が形成されていることが望ましい。
【発明の効果】
【００２４】
よって、本発明によると、ロッド胴体部に形成された圧搾溝と、圧搾溝に密着されるようにロッド胴体部に結合される圧搾部材を用いてウェーブを形成することで、多様なウェーブを形成することができる。
【図面の簡単な説明】
【００２５】
【図１】本発明の一実施例に係るパーマロッドの結合斜視図である。
【図２】本発明の一実施例に係るパーマロッドの分解斜視図である。
【図３】本発明の一実施例に係るパーマロッドのロッド胴体部の詳細図である。
【図４】本発明の一実施例に係るパーマロッドの圧搾部材の詳細図である。
【図５】本発明の一実施例に係るパーマロッドを使用する方法を示す図である。
【図６】本発明の一実施例に係るパーマロッドを使用する方法を示す図である。
【図７】本発明の一実施例に係るパーマロッドを使用する方法を示す図である。
【図８】本発明の他の実施例に係るパーマロッドの分解斜視図である。
【図９】従来パーマロッドの分解斜視図である。
【図１０】従来パーマロッドの使用方法を示す図である。
【発明を実施するための形態】
【００２６】
以下、添付の図面を参照しながら本発明について詳しく説明する。
【００２７】
図１は、本発明の一実施例に係るパーマロッドの結合斜視図であり、図２は、本発明の一実施例に係るパーマロッドの分解斜視図であり、図３は、本発明の一実施例に係るパーマロッドのロッド胴体部の詳細図であり、図４は、本発明の一実施例に係るパーマロッドの圧搾部材の詳細図である。
【００２８】
本発明の一実施例に係るパーマロッドは、これらの図面に示すように、正四角形の断面の管状のロッド胴体部１１と、ロッド胴体部１１に結合される４個の圧搾部材２０と、を有している。
【００２９】
ロッド胴体部１１は、全ての長さの区間に亘って帯状の挿入開口１１ａが形成されるように、一対の切り取り面１１ｂが形成されている。
【００３０】
一対の切り取り面１１ｂは、互いに近付く際に噛み合うように、凹凸状に形成されている。ここで、切り取り面１１ｂの凹凸状は、歯車状、波状などの様々な形態に形成することができる。
【００３１】
さらに、ロッド胴体部１１は、外表面に４個の圧搾溝１１ｃと、多数のリング安着溝１１ｅが形成されており、内表面には固定突起１１ｆが形成されている。
【００３２】
各圧搾溝１１ｃは、ロッド胴体部１１の各面に一つずつ、ロッド胴体部１１の全ての長さの区間に亘ってＶ字の断面の溝底面１１ｄを有するように形成されている。
【００３３】
各リング安着溝１１ｅは、長さ方向に沿って凹状を成すように形成されている。
【００３４】
固定突起１１ｆは、各圧搾溝１１ｃの両端の隣接領域に一対ずつ形成されている。
【００３５】
各圧搾部材２０は、三角形の断面の管状の圧搾部材胴体部２１と、圧搾部材胴体部２１の両端に一つずつ結合された固定レバー２２と、を有している。
【００３６】
圧搾部材胴体部２１は、３つの面の中、２つの面が溝底面１１ｄに対応する、すなわち、Ｖ字の断面状の圧搾面２１ａを形成するようになる。
【００３７】
圧搾部材胴体部２１は、圧搾面２１ａの両端に支持突起２１ｂが一対ずつ形成されており、溝底面１１ｄに接触する領域には投入孔２１ｄが形成されている。
【００３８】
各支持突起２１ｂには、軸孔２１ｃが形成されている。
【００３９】
各固定レバー２２は、一端に回動軸２２ａが形成されており、他端の隣接領域には固定孔２２ｂが形成されている。
【００４０】
固定レバー２２は、回動軸２２ａが軸孔２１ｃに挿入されるように設けられる。
【００４１】
このような構成を有する各圧搾部材２０は、圧搾面２１ａが溝底面１１ｄに接触した状態で、固定孔２２ｂに固定突起１１ｆを押し挟む方法によりロッド胴体部１１に結合される。ロッド胴体部１１に結合された圧搾部材２０は、固定突起１１ｆを固定孔２２ｂから離脱させることにより、ロッド胴体部１１から分離させることができる。
【００４２】
このような構成を有する本発明の一実施例に係るパーマロッドを使用する方法について、図５〜図７を参照しながら説明すると次のようである。
【００４３】
先ず、ロッド胴体部１１より小さな直径の補助ロッド２０１に髪の毛の末端部分を巻き込んだ後、ゴムリング２０２を用いて髪の毛を補助ロッド２０１に拘束させる（図５を参照）。
【００４４】
次に、髪の毛が巻き込まれた状態で、挿入開口１１ａを通じて補助ロッド２０１をロッド胴体部１１の内部に挿入する。
【００４５】
次に、髪の毛の残余部分をロッド胴体部１１に巻き込む（図６を参照）。
【００４６】
ロッド胴体部１１に髪の毛を巻き込む間、髪の毛が圧搾溝１１ｃを通過する度に溝底面１１ｄに密着されるように、圧搾部材２０を順次にロッド胴体部１１に結合させる（図７を参照）。
【００４７】
髪の毛をロッド胴体部１１に１回以上巻き込もうとする場合には、ロッド胴体部１１に結合された圧搾部材２０を順次にロッド胴体部１１から分離させた後、またロッド胴体部１１に結合させる。
【００４８】
次に、リング安着溝１１ｅに収容されるように、ゴムリング２０２をロッド胴体部１１に結合させる。
【００４９】
次に、ロッド胴体部１１に髪の毛を巻き込んだ後、３０〜４０分程度経過した頃、投入孔２１ｄを通じて中和剤を注入する。
【００５０】
次に、中和剤を注入した後、１０〜２０分程度経過した頃、圧搾部材２０をロッド胴体部１１から分離する。
【００５１】
次に、ロッド胴体部１１からゴムリング２０２を分離する。
【００５２】
次に、ロッド胴体部１１から全ての圧搾部材２０を分離させる。
【００５３】
次に、ロッド胴体部１１から髪の毛を解く。
【００５４】
次に、ロッド胴体部１１から補助ロッド２０１を分離させる。
【００５５】
次に、補助ロッド２０１からゴムリング２０２を分離する。
【００５６】
最後に、髪の毛を洗い出す。
【００５７】
前述の使用方法では、補助ロッド２０１をロッド胴体部１１の内部に挿入させているが、補助ロッド２０１をロッド胴体部１１の内部に挿入させる段階を省略し、本発明の実施例に係るパーマロッドを使用することができる。
【００５８】
一方、前述の実施例では、ロッド胴体部１１に４個の圧搾溝１１ｃを形成しているが、１個、２個、３個、または４個以上形成して本発明を実施することができる（図８を参照）。
【００５９】
さらに、前述の実施例では、ロッド胴体部１１を正四角形の断面または円形の断面状で構成しているが、５角形の断面など、他の形状でロッド胴体部１１を形成して本発明を実施することができる。
【産業上の利用可能性】
【００６０】
前述したように、本発明の実施例によると、ロッド胴体部１１に形成された圧搾溝１１ｃと、圧搾溝１１ｃに密着されるようにロッド胴体部１１に結合される圧搾部材２０を用いてウェーブを形成することで、多様なウェーブの形成が可能になる。
【００６１】
さらに、一対の切り取り面１１ｂを、互いに近付く際に噛み合うように、凹凸状で形成することで、髪の毛をロッド胴体部１１に巻き込む場合に、ロッド胴体部１１が捻られることを防止することができるようになる。
【００６２】
また、Ｖ字の断面の溝底面１１ｄを有するように圧搾溝１１ｃを形成することで、圧搾部材２０によって圧搾溝１１ｃに密着された髪の毛の流動を減らすことができるようになる。
【００６３】
また、ロッド胴体部１１の外表面に長さ方向に沿って凹状のリング安着溝１１ｅを形成することで、補助ロッド２０１をロッド胴体部１１の内部に挿入する段階を省略し、本発明のパーマロッドを使用することができるようになる。
【００６４】
さらに、圧搾部材２０の溝底面１１ｄに接触する領域に投入孔２１ｄを形成することで、圧搾部材２０によって形成されるウェーブを安定的に維持することができるようになる。
【符号の説明】
【００６５】
１１、１１１  ロッド胴体部
２０  圧搾部材
２１  圧搾部材胴体部
２２  固定レバー
１２０  補助ロッド部材
２０１  補助ロッド
【図１】
2015503434.tif 000003
【図２】
2015503434.tif 000004
【図３】
2015503434.tif 000005
【図４】
2015503434.tif 000006
【図５】
2015503434.tif 000007
【図６】
2015503434.tif 000008
【図７】
2015503434.tif 000009
【図８】
2015503434.tif 000010
【図９】
2015503434.tif 000011
【図１０】
2015503434.tif 000012
【国際調査報告】
2015503434.tif 000013
2015503434.tif 000014
2015503434.tif 000015
2015503434.tif 000016